(57)【要約】【課題】テレビジョン放送受像機において、クローズドキャプションの表示態様を変更可能にし、より便利に使用可能にする。【解決手段】テレビジョン放送受像機の制御部は、テレビジョン放送に含まれるクローズドキャプション信号が入力されると、表示行変更機能を実行して当該信号中のキャプションの表示位置を設定する位置情報を書き換え、クローズドキャプションデコーダに出力する。表示行変更機能実行時には、複数のキャプションの表示行間に空白行が含まれるとき（Ｓ１１：ＹＥＳ、Ｓ１２：ＹＥＳ）、その空白行が取り除かれるように位置情報を書き換える（Ｓ１３）。そして、キャプション表示設定に応じて、キャプションが表示パネルの上部又は下部に表示される表示態様となるように、位置情報を書き換える（Ｓ１４，Ｓ１５，Ｓ１６）。表示行変更機能の実行は、ユーザの指示に基づき行われる。【選択図】図３
2008278294.tif 000002
【特許請求の範囲】
【請求項１】
表示画面と、
受信したテレビジョン放送信号に含まれる画像信号に基づき前記表示画面に画像を表示させる表示部と、
受信したテレビジョン放送信号に含まれるクローズドキャプション信号を取り出すデータ分離部と、
前記データ分離部により取り出されたクローズドキャプション信号をデコードし、そのクローズドキャプション信号に基づく１つのキャプション又は複数のキャプションそれぞれを、当該クローズドキャプション信号中の位置情報で指定される前記表示画面の所定の表示行の所定の字下げ位置に表示するための、キャプション表示信号を生成するクローズドキャプションデコーダと、
受像機の動作を制御する制御部とを備え、
前記表示部は、前記キャプション表示信号に応じたキャプションを、前記画像信号に基づく画像と共に前記表示画面に表示する機能を有しているテレビジョン放送受像機において、
前記制御部は、前記クローズドキャプション信号中の前記位置情報を書き換えて前記クローズドキャプションデコーダに出力し、そのクローズドキャプション信号に基づいて表示されるキャプションの表示行を前記所定の表示行から変更する、表示行変更機能を有していることを特徴とするテレビジョン放送受像機。
【請求項２】
前記制御部は、ユーザからの指示に基づき、前記表示行変更機能を実行するかどうか変更可能に構成されていることを特徴とする請求項１に記載のテレビジョン放送受像機。
【請求項３】
前記制御部は、前記表示行変更機能において、前記クローズドキャプション信号に基づいて前記表示画面に表示されるキャプションが複数個あるときには、前記複数のキャプションをそれぞれ表示するために指定された表示行のうち最も上方の行と最も下方の行との間に、前記位置情報により前記キャプションの表示行として指定されない空白行が存在するかどうかを判断し、この空白行が存在する場合には、当該空白行が存在しなくなるように、各キャプションに対応する前記位置情報を書き換えるように構成されており、
前記制御部により前記表示行変更機能が実行されることにより、前記複数のキャプションが、前記表示画面の互いに連続する表示行に表示されるように構成されていることを特徴とする請求項２に記載のテレビジョン放送受像機。
【請求項４】
前記制御部は、前記表示行変更機能を行う際、前記空白行が存在しなくなるように位置情報を書き換えた後、さらに、各キャプションの前記表示画面への表示態様が前記表示画面の上部の行に表示される表示態様又は前記表示画面の下部の行に表示される表示態様になるように、前記位置情報を書き換えるように構成されていることを特徴とする請求項３に記載のテレビジョン放送受像機。
【発明の詳細な説明】
【技術分野】
【０００１】
本発明は、いわゆるクローズドキャプションを含むテレビジョン放送を受信し表示可能なテレビジョン放送受像機に関する。
【背景技術】
【０００２】
従来より、いわゆるクローズドキャプション信号をデコードし、テレビジョン放送の映像と共にクローズドキャプションを表示可能なテレビジョン放送受像機（以下、テレビ受像機と称する）が用いられている。このようなテレビ受像機としては、例えば、特許文献１に示されるように、映像信号の有効画像領域の垂直方向の水平走査開始位置と水平走査終了位置とを抽出して有効画像領域の垂直方向映像幅を算出することにより、アスペクト比に応じてクローズドキャプションの表示位置を制御するように構成されたものがある。
【０００３】
また、例えば、特許文献２には、水平同期信号のライン数や移送遅延データをマイクロコンピュータの内蔵メモリ等に保存するクローズドキャプション信号のサーチ回路をソフトウェアで実現し、クローズドキャプション信号の位相がずれた場合でもクローズドキャプションを表示できるように構成されたクローズドキャプションデコーダが示されている。特許文献３には、映像の拡大率に応じてクローズドキャプションの表示位置を制御し、クローズドキャプションが受像機の画面内から欠落しないようにしたテレビ受像機が示されている。
【０００４】
ここで、このようなクローズドキャプションを表示可能なテレビ受像機においては、より多くの表示態様でクローズドキャプションを表示可能にする機能を求めるニーズがある。例えば、いわゆるポップオン式のクローズドキャプションは、テレビ受像機の表示パネル内に番組内容に応じて表示されるものの、場合によっては、ユーザが、表示パネルの中央部にクローズドキャプションが表示されることを好まない場合もある。このような場合にクローズドキャプションの表示位置を変更する等、上述の特許文献１乃至特許文献３とは異なる、より多くの表示態様でクローズドキャプションを表示可能であれば、ユーザは、ユーザ自身の好み等に応じてクローズドキャプションの表示態様を変更してテレビジョン放送の番組を楽しむことができ、テレビ受像機をより便利に使用することができる。
【特許文献１】特開２００３‐３３９０３１号公報
【特許文献２】特開２００３‐１６３８９６号公報
【特許文献３】特開平１０‐９３９３２号公報
【発明の開示】
【発明が解決しようとする課題】
【０００５】
本発明は、上記課題を鑑みてなされたものであり、クローズドキャプションの表示態様を変更することができ、より便利に使用可能なテレビジョン放送受像機を提供することを目的とする。
【課題を解決するための手段】
【０００６】
上記目的を達成するため、請求項１の発明は、表示画面と、受信したテレビジョン放送信号に含まれる画像信号に基づき前記表示画面に画像を表示させる表示部と、受信したテレビジョン放送信号に含まれるクローズドキャプション信号を取り出すデータ分離部と、前記データ分離部により取り出されたクローズドキャプション信号をデコードし、そのクローズドキャプション信号に基づく１つのキャプション又は複数のキャプションそれぞれを、当該クローズドキャプション信号中の位置情報で指定される前記表示画面の所定の表示行の所定の字下げ位置に表示するための、キャプション表示信号を生成するクローズドキャプションデコーダと、受像機の動作を制御する制御部とを備え、前記表示部は、前記キャプション表示信号に応じたキャプションを、前記画像信号に基づく画像と共に前記表示画面に表示する機能を有しているテレビジョン放送受像機において、前記制御部は、前記クローズドキャプション信号中の前記位置情報を書き換えて前記クローズドキャプションデコーダに出力し、そのクローズドキャプション信号に基づいて表示されるキャプションの表示行を前記所定の表示行から変更する、表示行変更機能を有しているものである。
【０００７】
請求項２の発明は、請求項１の発明において、前記制御部は、ユーザからの指示に基づき、前記表示行変更機能を実行するかどうか変更可能に構成されているものである。
【０００８】
請求項３の発明は、請求項２の発明において、前記制御部は、前記表示行変更機能において、前記クローズドキャプション信号に基づいて前記表示画面に表示されるキャプションが複数個あるときには、前記複数のキャプションをそれぞれ表示するために指定された表示行のうち最も上方の行と最も下方の行との間に、前記位置情報により前記キャプションの表示行として指定されない空白行が存在するかどうかを判断し、この空白行が存在する場合には、当該空白行が存在しなくなるように、各キャプションに対応する前記位置情報を書き換えるように構成されており、前記制御部により前記表示行変更機能が実行されることにより、前記複数のキャプションが、前記表示画面の互いに連続する表示行に表示されるように構成されているものである。
【０００９】
請求項４の発明は、請求項３の発明において、前記制御部は、前記表示行変更機能を行う際、前記空白行が存在しなくなるように位置情報を書き換えた後、さらに、各キャプションの前記表示画面への表示態様が前記表示画面の上部の行に表示される表示態様又は前記表示画面の下部の行に表示される表示態様になるように、前記位置情報を書き換えるように構成されているものである。
【発明の効果】
【００１０】
請求項１の発明によれば、制御部は、クローズドキャプション信号中の位置情報を書き換えてクローズドキャプションデコーダに出力する表示行変更機能を有しており、キャプションの表示行を変更することができる。従って、受信したテレビジョン放送信号に含まれるクローズドキャプション信号に基づきそのままキャプションを表示させる他に、種々の表示態様でキャプションを表示画面に表示させることができ、テレビ受像機を便利に使用することができる。
【００１１】
請求項２の発明によれば、制御部は、ユーザからの指示に基づき、表示行変更機能を実行するかどうか変更可能に構成されているので、ユーザは、ユーザ自身が選択した表示態様でキャプションを表示させることができ、テレビ受像機をさらに便利に使用することができる。
【００１２】
請求項３の発明によれば、制御部は、表示部に表示されるキャプションが複数個あり、各キャプションの表示行間に空白表が存在するときには、この空白行が存在しなくなるように位置情報を書き換えるので、例えば複数のキャプションが表示画面の上下にばらばらに表示されるような場合に表示行変更機能を実行させることにより、複数のキャプションを連続した表示行にまとめて表示させることができる。従って、ユーザは、希望に応じてキャプションの表示態様を選択し、より便利にテレビ受像機を使用することができる。
【００１３】
請求項４の発明によれば、制御部は、空白行が存在しなくなるように位置情報を書き換えた後、さらに、キャプションの表示態様が表示画面の上部の行に表示される表示態様又は表示画面の下部の行に表示される表示態様になるように、位置情報を書き換えるので、複数のキャプションを、連続した表示行にまとめたうえで、表示画面の上部又は下部に表示させることができる。従って、ユーザは、例えば表示画面の中央部等にキャプションが表示されることを望まない場合に、表示行変更機能を実行させ、より便利にテレビ受像機を使用することができる。
【発明を実施するための最良の形態】
【００１４】
以下、本発明の一実施形態について図面を参照しつつ説明する。図１は、本実施形態に係るテレビジョン放送受像機（以下、テレビ受像機と称する）の一例を示す。このテレビ受像機１は、例えば、クローズドキャプション信号を含むテレビジョン放送に対応しており、受信したテレビジョン放送に含まれるクローズドキャプション信号に基づき、文字情報（キャプション）を、番組の映像と共に表示する機能を有している。テレビ受像機１は、ユーザが外部のリモートコントローラ２を用いて、クローズドキャプションの表示／非表示の切り替え等、遠隔操作を行うことができるように構成されている。テレビ受像機１は、チューナ１０と、選局部１１と、表示パネル（表示画面）１２ａを有する表示部１２と、データスライサ（データ分離部）１４と、テレビ受像機１の動作を制御する制御部１５と、制御部１５で実行されるプログラム等が記録されたメモリ１６と、クローズドキャプションデコーダ（以下、ＣＣデコーダと称する）１７と、受信部１８とを備えている。受信部１８は、リモートコントローラ２から送信された電波を受信可能に構成されている。ユーザがリモートコントローラ２を用いて制御信号を送信すると、その制御信号が受信部１８に受信されて制御部１５に伝送され、制御部１５がその制御信号に基づきテレビ受像機１の動作を制御する。このように、ユーザは、テレビ受像機１を遠隔操作することができる。
【００１５】
チューナ１０には、外部のアンテナ（図示せず）からテレビジョン放送信号が入力される。チューナ１０は、選局部１１により制御され、選局部１１が指定する所望のチャンネルのテレビジョン放送信号を出力する。選局部１１は、制御部１５により制御され、ユーザがリモートコントローラ２を用いて選択するチャンネルの信号が、チューナ１０から出力されるように構成されている。チューナ１０から出力されたテレビジョン放送信号は、２系統に分岐され、表示部１２及びデータスライサ１４に入力される。
【００１６】
表示部１２は、例えば、液晶ディスプレイやプラズマディスプレイである表示パネル１２ａと、表示パネル１２ａを駆動するためのドライバ（図示せず）と、音声を出力するスピーカ（図示せず）等で構成されている。表示部１２には、チューナ１０により受信されたテレビジョン放送信号と、後述するようにＣＣデコーダ１７から出力されたキャプション表示信号が入力される。表示部１２は、入力された両信号に基づき、表示パネル１２ａに画像を表示させ、また、スピーカから音声を出力する。
【００１７】
データスライサ１４は、チューナ１０から出力されたテレビジョン放送信号が入力されると、そのテレビジョン放送信号から、クローズドキャプション信号が含まれる、例えば垂直帰線区間の信号を分離するように構成されている。データスライサ１４により分離されたクローズドキャプション信号を含む信号は、制御部１５に入力される。
【００１８】
制御部１５は、メモリ１６に種々の情報を保存したり、メモリ１６か種々のプログラムや情報を読み込んだりしつつ、受信するチャンネルの選択等、テレビ受像機１の動作を制御するように構成されている。本実施形態において、メモリ１６には、クローズドキャプション信号に含まれるキャプションの表示位置を指定する位置情報を書き換えるための表示行変更機能を実行するプログラムが記録されている。制御部１５は、例えば、リモートコントローラ２からユーザの指示に基づく所定の制御信号が送信されたときに、このプログラムを実行するように構成されている。上記プログラムの実行時には、制御部１５は、後述するように、このプログラムに基づいて、データスライサ１４により分離されたクローズドキャプション信号中の位置情報を書き換えた後、そのクローズドキャプション信号をＣＣデコーダ１７に出力する。なお、制御部１５は、上記プログラムを実行しないときには、データスライサ１４により分離されたクローズドキャプション信号を、何も書き換えたりしないまま、ＣＣデコーダ１７に出力するように構成されている。
【００１９】
ＣＣデコーダ１７は、制御部１５による制御に基づいて、制御部１５から出力されたクローズドキャプション信号をデコードする。そして、そのクローズドキャプション信号に含まれる、種々のコマンド、位置情報、キャプションの内容等に基づいて、表示パネル１２ａにキャプションを表示するためのキャプション表示信号を生成する。ＣＣデコーダ１７が生成したキャプション表示信号は、表示部１２に出力される。表示部１２では、ＣＣデコーダ１７からキャプション表示信号が出力されると、そのキャプション表示信号とチューナ１０から出力されたテレビジョン放送信号の画像信号に基づいて、表示パネル１２ａに、番組の画像をキャプションと共に表示する。
【００２０】
テレビ受像機１は、例えば、２種類の表示形式でクローズドキャプションを表示可能に構成されている。例えば、テレビ受像機１は、表示パネル１２ａの所定の複数行にわたって表示されるテキストボックス内に改行しながら次々にキャプションを表示する、いわゆるスクロール形式のクローズドキャプションを表示可能である。また、テレビ受像機１は、クローズドキャプション信号に含まれるコマンドや位置情報等に基づき、表示パネル１２ａのうち位置情報に指定された所定行の所定の字下げ位置に、それぞれ比較的短いキャプションを表示する、いわゆるポップオン形式のクローズドキャプションを表示可能である。
【００２１】
図２は、ポップオン形式のクローズドキャプションを表示したときの表示パネル１２ａのキャプションの表示態様の一例を示す。本実施形態において、表示パネル１２ａは、例えば１６行（Ｌ１，…，Ｌ１６）×３２文字に分割された、キャプション表示時に文字が配置される区画を有している。そして、ポップオン形式で表示されるキャプションは、クローズドキャプション信号中に含まれる、そのキャプションに対応する位置情報により指定された、所定の表示行の所定の字下げ位置に表示される。キャプションは、例えば、１フレームの画像において、同時に４個表示可能に構成されている。また、キャプションは、１フレームの画像において、１つの表示行につき１つ表示可能に構成されている。すなわち、図に示すように、１フレームの画像において、例えば、最大４個のキャプション５１，５２，５３，５４を、互いに異なる４つの表示行Ｌ３，Ｌ６，Ｌ１０，Ｌ１１に、それぞれ１つずつ表示可能である。
【００２２】
ここで、制御部１５は、上記の位置情報を書き換えるプログラムを実行することにより、キャプションの表示行を変更する表示行変更機能を有している。表示行変更機能は、ポップオン形式でキャプションを表示しているときに行われるものであり、例えば、上記の通り、ユーザによりリモートコントローラ２を用いてなされた指示に基づいて実行される。また、ユーザは、ポップオン形式でキャプションを表示させる際、キャプションを表示パネル１２ａの上部に表示させるか表示パネル１２ａの下部に表示させるかを選択し、制御部１５に対してキャプション位置設定を行うことができるように構成されている。本実施形態において、表示行変更機能がキャプション表示設定に基づいて実行されることにより、それらのキャプションが、キャプション表示設定に応じた表示パネル１２ａの上部の４行内又は下部の４行内に、各キャプションの表示行が互いに連続するように表示することができるように構成されている。
【００２３】
図３は、表示行変更機能実行時の制御部１５の動作の流れを示す。また図４（ａ）、（ｂ）は、表示行変更機能実行によるキャプションの表示位置の変更例を示す。以下、図３及び図４（ａ）、（ｂ）を参照しながら、表示行変更機能実行時の制御部１５の動作について説明する。先ず、表示行変更機能が実行されると、制御部１５は、表示パネル１２ａに表示されるべきキャプションが複数個であるかどうかを判断する（Ｓ１１）。そして、キャプションが複数個であれば（Ｓ１１：ＹＥＳ）、複数個のキャプションの表示行間にキャプションが表示されない空白行があるかどうかを判断し（Ｓ１２）、空白行がある場合には（Ｓ１２：ＹＥＳ）、その空白行を取り除く空白行除去処理を行う（Ｓ１３）。空白行があるかどうかの判断は、例えば、複数のキャプションそれぞれについて位置情報により指定された表示行のうち、最も上方の行と最も下方の行との間に、位置情報によりキャプションの表示行として指定されない空白行が存在するかどうかを判断して行う。例えば、図４（ａ）に示すように、４つのキャプション５１，…，５４が表示パネル１２ａに表示されるべきであるときには、制御部１５は、それらのキャプション５１，…，５４の表示行のうち最上方の表示行Ｌ３と最下方の表示行Ｌ１１との間に、図で網がけして示す空白行Ｌ４，Ｌ５，Ｌ７，Ｌ８，Ｌ９があることを確認する。そして、このとき、制御部１５は、空白行除去処理を行い、制御部１５に入力されたクローズドキャプション信号に含まれる、キャプション５２についての位置情報のうち、表示行Ｌ６を指定する部分を、このキャプション５２より上方にある空白行Ｌ４，Ｌ５の２行分だけ繰り上げた、表示行Ｌ４を指定するように書き換える。また、キャプション５３についての位置情報のうち、表示行Ｌ１０を指定する部分を、このキャプション５３より上方にある空白行５行分だけ繰り上げた、表示行Ｌ５を指定するように書き換える。同様に、キャプション５４についての位置情報の部分も、キャプション５４より上方にある空白行５行分だけ繰り上げた、表示行Ｌ６を指定するように書き換える。これにより、制御部１５が空白行除去処理を行った時点で、キャプションの表示行が、一時的に、例えば、空白行を含まず互いに連続した表示行Ｌ３，…，Ｌ６となる。なお、制御部１５は、キャプションが複数個でなかったり（Ｓ１１：ＮＯ）、空白行がない場合には（Ｓ１２：ＮＯ）、空白行除去処理は実行しない。
【００２４】
次に、制御部１５は、ユーザにより予め設定されたキャプション表示設定を確認する（Ｓ１４）。そして、キャプション表示設定として、「上寄せ」、すなわちキャプションを表示パネル１２ａの上部に表示させる表示態様が選択されているときには（Ｓ１４：ＹＥＳ）、キャプションの表示行のうち最上行を基準として、キャプションの表示位置が表示パネル１２ａの上部になるように、位置情報の書き換え処理を行う（Ｓ１５）。他方、キャプション表示設定が、「下寄せ」、すなわちキャプションを表示パネル１２ａの下部に表示させる表示態様が設定されているときには（Ｓ１４：ＮＯ）、キャプションの表示行のうち最下行を基準として、キャプションの表示位置が表示パネル１２ａの下部になるように、位置情報の書き換え処理を行う（Ｓ１６）。例えば、図４（ａ）において、上述のように空白行除去処理を行った後、キャプション表示設定が「上寄せ」に設定されていれば、制御部１５は、キャプション５１，…，５４を表示行Ｌ３，…，Ｌ６に表示するように指定する位置情報を、表示行Ｌ３を表示行Ｌ１に変更するように２行分上方に書き換える。すなわち、このように制御部１５が表示行変更処理を行うことにより、クローズドキャプション信号中の位置情報が、例えば、図４（ｂ）に示すように、キャプション５１，…，５４を表示パネル１２ａの上部の表示行Ｌ１，…，Ｌ４に表示させるように指定するものに変更される。他方、キャプション表示設定が「下寄せ」に設定されていれば、制御部１５は、例えば、表示行Ｌ６を表示行Ｌ１６に変更するように、位置情報の表示行を１０行分下方に書き換え、キャプション５１，…，５４を表示パネル１２ａの下部に表示させるように変更する。このように、位置情報の書き換え処理を行った後（Ｓ１５又はＳ１６）、制御部１５は、位置情報を書き換えたクローズドキャプション信号をＣＣデコーダ１７に出力する（Ｓ１７）。これにより、ＣＣデコーダ１７にてこのクローズドキャプション信号に基づきキャプション表示信号が生成され、表示部１２により表示パネル１２ａに表示されるときには、キャプションの表示態様が、表示パネル１２ａの上部または下部にまとまって表示される表示態様になる。
【００２５】
このように、本実施形態においては、ユーザは、表示行変更機能を実行させることにより、キャプションを表示パネル１２ａの上部または下部にまとめて表示させる表示態様を選択して番組を視聴することができるので、例えば表示パネル１２ａの中央部等にキャプションが表示されることを望まない場合に表示行変更機能を実行させ、便利にテレビ受像機１を使用することができる。また、ユーザは、リモートコントローラ２等を用いてテレビ受像機１に種々の表示態様でキャプションを表示させることができるので、さらに便利にテレビ受像機１を使用することができる。
【００２６】
なお、本発明は上記実施形態の構成に限定されるものではなく、発明の趣旨を変更しない範囲で適宜に種々の変形が可能である。例えば、制御部は、キャプション表示設定として、キャプションを表示パネル１２ａの略中央部に表示する「中央寄せ」を選択可能に構成されていてもよい。このとき、「中央寄せ」がキャプション表示設定として設定されているときには、例えば、制御部は、キャプションの表示行のうち中央の表示行を基準とし、その表示行を例えば表示行Ｌ８に変更するように、位置情報を書き換えればよい。これにより、より多様なキャプションの表示態様をユーザが選択することができ、より便利にテレビ受像機を使用することができる。
【図面の簡単な説明】
【００２７】
【図１】本発明の一実施形態に係るテレビジョン放送受像機の構成の一例を示すブロック図。
【図２】上記受像機のクローズドキャプションの表示例を示す図。
【図３】上記制御部の表示行変更機能実行時の動作の流れを示すフローチャート。
【図４】（ａ）は上記表示行変更機能実行時の位置情報の書き換え途中を説明する図、（ｂ）はその表示行変更機能実行時の位置情報の書き換え終了時を示す図。
【符号の説明】
【００２８】
１  テレビジョン放送受像機
２  リモートコントローラ
１２  表示部
１２ａ  表示パネル（表示画面）
１４  データスライサ（データ分離部）
１５  制御部
１７  ＣＣデコーダ（クローズドキャプションデコーダ）
５１，５２，５３，５４  キャプション
【図１】
2008278294.tif 000003
【図２】
2008278294.tif 000004
【図３】
2008278294.tif 000005
【図４】
2008278294.tif 000006